(57)【要約】【課題】送信装置の動作状態を正確に表示するインジケータを提供する。【解決手段】この送信アンテナインジケータ１０は、全体を保護して各部品を保持する外装カバー８と、螺旋状にコイルを旋回して、その両端がコネクタ６に接続された送信アンテナ２と、螺旋状にコイルを旋回して、その両端が同じくコネクタ６に接続された受信アンテナ３と、螺旋状にコイルを旋回して、その両端が発光ダイオード（以下、ＬＥＤと記す）５に接続された受電コイル４と、受電コイル４の両端に発生した電圧により発光するＬＥＤ５から構成される。また、送信アンテナインジケータ１０のコネクタ６には、ケーブル１により送信アンテナ２に搬送波を送信する送信器と受信アンテナ３で受信した信号を復調する受信機を有する送受信機７と接続されている。【選択図】　　　図１
2004023289.tif 000002
【特許請求の範囲】
【請求項１】
所定の変調方式により変調された搬送波を送信する送信アンテナと、該送信アンテナの搬送波を受信する受電コイルと、該受電コイルで受信した搬送波電力により発光する発光ダイオードと、を備え、送信アンテナの動作状態を表示する送信アンテナインジケータであって、
前記受電コイルは、前記送信アンテナから送信される搬送波を受信可能な位置に配置され、該受電コイルが受信した前記送信アンテナからの搬送波を駆動電力として前記発光ダイオードを発光させる構成としたことを特徴とする送信アンテナインジケータ。
【請求項２】
前記発光ダイオードは、前記受電コイル端子の両端に少なくとも１つ以上並列に接続されることを特徴とする請求項１に記載の送信アンテナインジケータ。
【請求項３】
前記受電コイル端子の両端に接続された前記発光ダイオードと極性が同じ向きにダイオードを直列に接続することにより、前記発光ダイオードに印加される逆方向電圧の耐圧規格値を越えないようにしたことを特徴とする請求項２に記載の送信アンテナインジケータ。
【請求項４】
前記受電コイル端子の両端に接続された前記発光ダイオードと極性が異なる向きにダイオードを並列に接続することにより、前記発光ダイオードに印加される逆方向電圧の耐圧規格値を越えないようにしたことを特徴とする請求項２に記載の送信アンテナインジケータ。
【請求項５】
所定の変調方式により変調された搬送波を送信する送信アンテナと、該送信アンテナの搬送波を受信する受電コイルと、該受電コイルで受信した搬送波電力により発光する複数の発光ダイオードと、を備え、送信アンテナの動作状態を表示する送信アンテナインジケータであって、
前記受電コイルは、前記送信アンテナから送信される搬送波を受信可能な距離に配置され、該受電コイルにより受信した前記送信アンテナからの搬送波の駆動電力の強弱に応じて前記複数の発光ダイオードを順次発光させる構成にしたことを特徴とする送信アンテナインジケータ。
【請求項６】
前記複数の発光ダイオードは、夫々異なる値の抵抗器と直列接続され、該接続状態で前記受電コイル端子の両端に夫々並列に接続されることを特徴とする請求項５に記載の送信アンテナインジケータ。
【請求項７】
前記複数の発光ダイオードは、同じ順電圧特性を有することを特徴とする請求項５又は６に記載の送信アンテナインジケータ。
【請求項８】
前記受電コイル端子の両端に接続された前記複数の発光ダイオードと極性が同じ向きに夫々ダイオードを直列に接続することにより、前記夫々の発光ダイオードに印加される逆方向電圧の耐圧規格値を越えないようにしたことを特徴とする請求項６に記載の送信アンテナインジケータ。
【請求項９】
前記受電コイル端子の両端に接続された前記複数の発光ダイオードと極性が異なる向きにダイオードを並列に接続することにより、前記複数の発光ダイオードに印加される逆方向電圧の耐圧規格値を越えないようにしたことを特徴とする請求項６に記載の送信アンテナインジケータ。
【請求項１０】
前記受電コイルは、前記送信アンテナがループアンテナの場合、該ループアンテナのループ外に配置することを特徴とする請求項１乃至９の何れか一項に記載の送信アンテナインジケータ。
【発明の詳細な説明】
【０００１】
【発明の属する技術分野】
本発明は、送信アンテナインジケータに関し、さらに詳しくは、送信アンテナからの搬送波を検出するインジケータに関するものである。
【０００２】
【従来の技術】
従来から、各種装置の動作状態を表示して操作者、管理者等に知らせるために、装置の適所にパイロットランプが設けられ、装置の電源を投入した時にその電源からの電圧によりパイロットランプが点灯するようになっている。この場合のパイロットランプは、あくまでも電源が動作状態であることを表示するものであり、必ずしも装置が正常に動作していることを表すものではない。従って、動作状態を確認するためには、装置を動作させてみないと判らない場合が多い。しかし、多くの装置の場合は、目視により動作状態を判断することができるので、大きな問題にはならないが、無線のように電波が正常に放射されているか否かを目では見ることができない場合、それを目で見えるようにするインジケータは大きな役割を担う。
【０００３】
図６は、従来の送信装置のインジケート方法について説明するためのブロック図である。従来の送信装置１００は、その内部に送信機５０からの搬送波を電波として放射する送信アンテナ５２と、外部からの電波を受信して受信機５１に送る受信アンテナ５３と、電源５４からの直流電圧により発光する発光ダイオード（ＬＥＤ）５７と、発光ダイオード（ＬＥＤ）５７への電流を制限する制限抵抗（Ｒ）５６と、を備え、外部には送信アンテナ５２へ変調した搬送波を供給する送信機５０と、受信アンテナ５３からの電波を復調してデータを検出する受信機５１と、送信装置１００、送信機５０、及び受信機５１に電力を供給する電源５４と、電源５４からの電力をＯＮ／ＯＦＦするスイッチ（ＳＷ）５５と、を備えている。また、送信アンテナ５２から搬送波が放射されているか否かを検出するために、受電コイル５９を備えた検査器５８がある。また、送信装置１００はコネクタ６０により外部とケーブルにより接続されている。
このような構成の送信装置１００を、例えば、非接触ＩＣカードとのデータの交信に使用する場合、先ず、スイッチ（ＳＷ）５５をＯＮにして直流電力を送信機５０、受信機５１、及び発光ダイオード（ＬＥＤ）５７に供給する。それにより、送信機５０から搬送波が放射され、それと同時に発光ダイオード（ＬＥＤ）５７が発光して送信装置１００が動作中であることを表示する。その状態で図示しないＩＣカードが送信アンテナ５２にかざされると、ＩＣカードからレスポンスを受信アンテナ５３で受信して、受信機５１により認識され従来のデータの交信が開始される。
ここで、従来は、送信アンテナ５２から搬送波が正常に放射されているか否かを検査するために、検査器５８の受電コイル５９を送信アンテナ５２にかざし、検査器５８の図示しないメータあるいはランプにより確認していた。
【０００４】
【発明が解決しようとする課題】
しかしながら、図６の送信装置１００の発光ダイオード（ＬＥＤ）５７は、電源５４のスイッチ（ＳＷ）５５がＯＮになると無条件に発光する。そのため、送信機５０或いは送信アンテナ５２の何れかが故障して、送信アンテナ５２から搬送波が放射されなくても、操作者は発光ダイオード（ＬＥＤ）５７が点灯しているので、操作者等は正常に動作していると判断し、故障に気づかない事態が発生する。また、逆に送信機５０或いは送信アンテナ５２が正常で、発光ダイオード（ＬＥＤ）５７が故障し場合、搬送波は放射されているにも拘わらず、操作者は装置が動作していないと判断してしまう。このように、従来の送信装置のインジケータは、必ずしも装置の動作状態を正確に表示していなかった。
本発明は、かかる課題に鑑み、送信装置の動作状態を正確に表示するインジケータを提供することを目的とする。
また、他の目的はインジケータを点灯するための電源を必要としない省エネルギータイプのインジケータを実現することである。
【０００５】
【課題を解決するための手段】
本発明はかかる課題を解決するために、請求項１は、所定の変調方式により変調された搬送波を送信する送信アンテナと、該送信アンテナの搬送波を受信する受電コイルと、該受電コイルで受信した搬送波電力により発光する発光ダイオードと、を備え、送信アンテナの動作状態を表示する送信アンテナインジケータであって、前記受電コイルは、前記送信アンテナから送信される搬送波を受信可能な位置に配置され、該受電コイルが受信した前記送信アンテナからの搬送波を駆動電力として前記発光ダイオードを発光させる構成にしたことを特徴とする。
送信アンテナから放射される搬送波をインジケータにより目に見える形にするには、電波を受信して復調し、その電圧レベルを増幅してメータを駆動するか、或いはその電圧によりランプを点灯する方法がある。しかし、何れの方法もそれらを駆動するために別の駆動源（電源）が必要であり、それにより、装置のコストが高くなり、装置が大型化する虞も出てくる。そこで、本発明では搬送波のエネルギーを有効に活用するために、送信アンテナの近傍に搬送波を受信する受電コイルを設け、しかも、受電した搬送波電力で直接発光ダイオードを点灯させ、駆動のための別電源を必要とせず、非常に簡便な回路構成で、しかも、確実に送信アンテナの動作状態を検出でき、発光ダイオードの点灯がインジケータの役目も果たすことができる送信アンテナインジケータを提供することができる。
かかる発明によれば、受電コイルにより送信アンテナからの搬送波を直接受信してその電力により発光ダイオードを点灯させるので、送信アンテナの動作状態を正確に確認でき、しかも、回路コストを安価に構成することができる。
請求項２は、前記発光ダイオードは、前記受電コイル端子の両端に少なくとも１つ以上並列に接続されることを特徴とする。
発光ダイオードは所定の順電圧（ＶＦ）を加えるとキャリアの再結合時のエネルギーにより発光するものである。従って、受電コイルの両端には搬送波による高周波電圧が発生し、その電圧が順電圧（ＶＦ）を越えることにより、前記原理により発光する。そして、光量は発光ダイオードに流れる順電流（ＩＦ）に比例して変化する。
かかる発明によれば、受電コイルの両端に直接発光ダイオードを接続するので、簡単な回路構成で発光ダイオードを点灯することができる。
【０００６】
請求項３は、前記受電コイル端子の両端に接続された前記発光ダイオードと極性が同じ向きにダイオードを直列に接続することにより、前記発光ダイオードに印加される逆方向電圧の耐圧規格値を越えないようにしたことを特徴とする。
発光ダイオードには、前記請求項２に説明した特性のほかに、逆耐圧特性がある。これは、発光ダイオードのアノードとカソードに印加する電圧の極性を逆にした場合に、何ボルトまで耐えられるかという特性である。本発明の場合、受電コイルで受信する搬送波は周波数の高い交流電圧である。交流電圧は公知の通り電圧極性が一定の周期で逆転する電圧である。従って、発光ダイオードの両端には、常に一定周期毎に逆電圧が印加される。この逆電圧による弊害を防ぐには、発光ダイオードに直列に逆電圧に耐える特性をもったダイオードを接続して、逆耐圧を越えないようにして保護する必要がある。
かかる発明によれば、発光ダイオードに直列にダイオードを接続するので、発光ダイオードの逆耐圧を越えることを防止して、発光ダイオードの信頼性を高めることができる。
請求項４は、前記受電コイル端子の両端に接続された前記発光ダイオードと極性が異なる向きにダイオードを並列に接続することにより、前記発光ダイオードに印加される逆方向電圧の耐圧規格値を越えないようにしたことを特徴とする。請求項３では、逆耐圧を越えないように発光ダイオードに直列にダイオードを接続したが、発光ダイオードの極性とは逆にダイオードを並列に接続してダイオードの順電圧にクランプすることにより、発光ダイオードに規格値以上の逆電圧が印加しないようにしても同じ効果を得ることができる。
かかる発明によれば、発光ダイオードに並列にダイオードを接続するので、逆耐圧を越えることを防止して、発光ダイオードの信頼性を高めることができる。また、ダイオードが１つで同じ効果を有するので、コストダウンとなる。
【０００７】
請求項５は、所定の変調方式により変調された搬送波を送信する送信アンテナと、該送信アンテナの搬送波を受信する受電コイルと、該受電コイルで受信した搬送波電力により発光する複数の発光ダイオードと、を備え、送信アンテナの動作状態を表示する送信アンテナインジケータであって、前記受電コイルは、前記送信アンテナから送信される搬送波を受信可能な距離に配置され、該受電コイルにより受信した前記送信アンテナからの搬送波の駆動電力の強弱に応じて前記複数の発光ダイオードを順次発光させる構成にしたことを特徴とする。
送信アンテナから送信される搬送波は、アンテナの共振周波数を調整することで最大のパワーが発生する。そのパワー（駆動電力）の大きさを発光ダイオードの点灯する数で表示できれば、発光ダイオードを見ながら容易にアンテナの調整が可能となる。それには、スレッシュレベルが異なる発光ダイオードを複数用意することにより、駆動電力に応じて順次点灯する回路を構成することができる。かかる発明によれば、スレッシュレベルが異なる発光ダイオードを複数用意することにより、送信アンテナの共振周波数調整を容易に行うことができる。
請求項６は、前記複数の発光ダイオードは、夫々異なる値の抵抗器と直列接続され、該接続状態で前記受電コイル端子の両端に夫々並列に接続されることを特徴とする。
前記請求項５のスレッシュレベルが異なる発光ダイオードを構成する方法は、発光ダイオードを複数用意し、夫々に異なる抵抗値を持った抵抗器を直列接続したものを並列に接続し、その抵抗値を順次大きな値にすることにより、パワーの大きさにより順次点灯する回路を構成することができる。
かかる発明によれば、夫々に異なる抵抗値を持った抵抗器を直列接続した発光ダイオードを複数用意するので、パワーの大きさにより順次点灯する回路を構成することができる。
請求項７は、前記複数の発光ダイオードは、同じ順電圧特性を有することを特徴とする。
請求項６では抵抗器により電圧を分圧して発光ダイオードに掛かる電圧を調整したが、そのとき、発光ダイオードが持つ順電圧特性が不揃いであると、予め抵抗値を決定することができず、個々に調整が必要となり生産性が低下する。そこで、発光ダイオードの順電圧特性を同じにすることは重要なことである。
かかる発明によれば、複数の発光ダイオードの順電圧特性を同じにすることにより、調整を必要とせず、生産性を高めることができる。
【０００８】
請求項８は、前記受電コイル端子の両端に接続された前記複数の発光ダイオードと極性が同じ向きに夫々ダイオードを直列に接続することにより、前記夫々の発光ダイオードに印加される逆方向電圧の耐圧規格値を越えないようにしたことを特徴とする。
かかる発明によれば、請求項３と同様な作用効果を奏する。
請求項９は、前記受電コイル端子の両端に接続された前記複数の発光ダイオードと極性が異なる向きにダイオードを並列に接続することにより、前記複数の発光ダイオードに印加される逆方向電圧の耐圧規格値を越えないようにしたことを特徴とする。
かかる発明によれば、請求項４と同様な作用効果を奏する。
請求項１０は、前記受電コイルは、前記送信アンテナがループアンテナの場合、該ループアンテナのループ外に配置することを特徴とする。
送信アンテナがループアンテナの場合、そのループアンテナの中心付近には例えば、非接触ＩＣカードからのレスポンス信号を受信するための受信アンテナが配置されている。従って、同じような位置に受電コイルを配置すると、受信アンテナで受信するレスポンス信号が受電コイル側に流れ、受信アンテナへの信号が減衰する可能性がある。そのために、受電コイルをループアンテナの外側近傍に配置し、送信アンテナからの搬送波を主に受信するようにすることが好ましい。かかる発明によれば、受電コイルを送信アンテナの外側に配置するので、受信アンテナへの影響を最小限にすることができる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の第１の実施形態に係る送信アンテナインジケータの外観構成図であり、一部を透視した図である。この送信アンテナインジケータ１０は、全体を保護して各部品を保持する外装カバー８と、そのほぼ中心に配置され外装カバーの平面の大部分を占める範囲にコイルをループ状に形成して、その始端と終端がコネクタ６に接続された送信アンテナ２と、その送信アンテナ２の略中心に、送信アンテナより小さな径でコイルをループ状に形成して、その始端と終端が同じくコネクタ６に接続された受信アンテナ３と、前記送信アンテナ２のコイルの外周近傍に配置され、コイルをループ状に形成して、その始端と終端が発光ダイオード（以下、ＬＥＤと記す）５の図示しないアノードとカソードに夫々接続された受電コイル４と、受電コイル４の両端に発生した電圧により発光するＬＥＤ５から構成され、また、送信アンテナインジケータ１０のコネクタ６は、ケーブル１により送信アンテナ２に搬送波を供給する送信機と受信アンテナ３で受信した信号を復調する受信機を有する送受信機７と接続されている。尚、外装カバー８は、電波に影響を与えない樹脂製の部材で構成され、各コイルは、その樹脂製の外装カバー内に接着或いは他の方法により固定されている。従って、外装カバー８の外からはＬＥＤ５以外は見ることができない。また、受電コイル４の位置は、送信アンテナ２のコイル外周であれば何処でも構わないが、相互インダクタンスを大きくするためには、可能な限り両者の距離は近いほうが好ましい。ここで、ＬＥＤ５が配置されている外装カバー面を表面とする。
図２は、図１の送信アンテナインジケータ１０と送受信機７の回路構成を示すブロック図である。同じ構成要素には同じ参照番号が付されているので、重複する説明は省略する。外装カバー８内には、送信アンテナ（Ｔ）２の両端がコネクタ６に接続され、コネクタ６からケーブル１により送受信機７内にある送信機２０と接続されている。そして、送信アンテナ（Ｔ）２は相互インダクタンスＭにより受電コイル（ｒ）４と電磁結合されている。また、受電コイル（ｒ）４の両端はＬＥＤ５のアノード（Ａ）とカソード（Ｋ）に接続されている。このとき、受電コイル（ｒ）４と接続するＬＥＤ５の極性はどちらでも構わない。この他に、受信コイル（Ｒ）３の両端がコネクタ６に接続され、コネクタ６からケーブル１により送受信機７内にある受信機２１と接続されている。
【００１０】
次に、この構成による送信アンテナインジケータ１０の動作について、非接触ＩＣカードとの関係で説明する。図１の外観を有する送信アンテナインジケータ１０は、図示しないが表面を上に向けて設置し、その表面に非接触ＩＣカードをかざしてデータの交信を行うか、或いは、立てた状態で表面を横に向けた形で使用される。動作時は常に図示しない電源が送受信機７に供給され、常に送信機２０からケーブル１、コネクタ６を介して送信アンテナ２に所定の周波数の搬送波が供給される。送信アンテナ６のコイルは外装カバー８のほぼ全面にわたって配置されているので、その外周近傍にある受電コイル（ｒ）４と相互インダクタンスＭにより電磁結合されていて、その受電コイル（ｒ）４両端に搬送波の高周波電圧が発生する。受電コイル（ｒ）４の両端には、負荷としてＬＥＤ５が接続されており、受電コイル（ｒ）４の一方の端子４ａ側がプラス電圧になった場合、ＬＥＤ５のアノード（Ａ）が順電圧となるので、順電流ＩＦが流れてＬＥＤ５が発光する。次の周期には電圧が逆転して受電コイル（ｒ）４の他方の端子４ｂ側がプラス電圧となり、ＬＥＤ５のアノード（Ａ）が逆電圧となるので、電流は流れなくなり発光が停止する。これを繰り返し行い厳密にいうと周波数の周期毎に発光と消灯を繰り返している。しかし、その周期は非常に短いので、人間の目には連続して発光しているように見える。また、発光の光量は順電流ＩＦにほぼ比例するので、搬送波電圧に比例して光量が変化することになる。ここで、本実施形態ではＬＥＤが１つの場合について説明したが、受電コイル（ｒ）４で受信する高周波電力の容量が多ければ、複数点灯することも可能である。
また、受信アンテナ（Ｒ）３は、図示しない非接触ＩＣカードがかざされたときに、非接触ＩＣカードからのレスポンスを受信して受信機２１に伝えるものであり、本発明とは直接関係ないので、詳細な説明は省略する。
【００１１】
図３は、本発明の第２の実施形態に係るＬＥＤ部分の変形実施例である。この実施例は受電コイルに接続されるＬＥＤを複数にして、夫々に抵抗器を直列に接続して発光するスレッシュレベルを異ならせたものである。この実施例の目的は、送信アンテナには図示しないが、夫々共振周波数が決められており、その共振周波数に合致するように送信コイルのリアクタンスが調整できるように可変コンデンサにより調整される。その調整時にリアクタンスが共振したときに最も搬送電力が大きくなり、その電力を受電コイルで受信して電力の大きさに応じてＬＥＤの点灯する数を変えることにより、目視で調整を可能とすることである。具体的には、例えば、ＬＥＤを３つ使用した場合、夫々のＬＥＤの順電圧ＶＦが同じ特性のものを使用することを前提とすると、順電流ＩＦが同じとすれば、抵抗器Ｒａ２６、Ｒｂ２７、Ｒｃ２８の抵抗値はｒａ＜ｒｂ＜ｒｃの関係になり、例えば、３段階のレベルを設定して各レベルでＬＥＤに流れる順電流ＩＦが同じになるように抵抗値を設定すればよい。これにより、ＬＥＤａ２９から順次ＬＥＤｂ３０、ＬＥＤｃ３１と点灯するようになる。当然ＬＥＤｃ３１が点灯するときは全てのＬＥＤが点灯することになる。尚、本実施例ではＬＥＤが３つの場合について説明したが、それ以外の数でも構わない。
図４は、図１、図２の送信アンテナインジケータ１０の動作を説明するためのタイミングチャートである。（ａ）は図示しない制御装置からのコマンドであり、（ｂ）は送信機２０から送信される搬送波であり、（ｃ）は受信機２１で受信した信号であり、（ｄ）はＬＥＤのＯＮ／ＯＦＦ状態を表す図である。これによると、送信機２０から搬送波４１が送信されると、その電力を受電コイル４が受信してＬＥＤ５がＯＮとなる。そして、搬送波が供給されている間は常にＬＥＤ５がＯＮ状態４５のままである。その状態でＩＣカードからのレスポンスを受信すると、制御装置からコマンド４０を出力し、このコマンド４０により搬送波４２の部分が変調されてＩＣカードに送信する。そのコマンドを受信したＩＣカードは、時間ｔ後にレスポンス４４を返送して、その信号を受信機２１が受信する。その後、動作終了により送信機２０の搬送波を切ると、ＬＥＤ５がＯＦＦ（消灯）する。このように、ＬＥＤ５は搬送波が送信されている間は常に点灯しており、搬送波の送信が停止すると消灯する。従って、搬送波の送信状態が目視により明確に確認することができる。
【００１２】
図５は、本発明の第３の実施形態に係るＬＥＤの逆電圧を抑制する回路例である。（ａ）、（ｂ）はＬＥＤが１つの場合の例であり、（ｃ）、（ｄ）はＬＥＤが複数の場合の例である。ＬＥＤには、順電圧、順電流特性のほかに、重要な特性として逆耐圧特性がある。ＬＥＤにはアノードとカソードがあり、アノードにプラス電圧、カソードにマイナス電圧を印加したときを順電圧といい、その逆を逆電圧という。逆耐圧とは、ＬＥＤのアノードとカソードに印加する電圧の極性を逆にした場合（逆電圧を印加した場合）に、ＬＥＤが何ボルトまで耐えられるかの特性である。一般には逆耐圧は３Ｖ前後である。本発明の場合、受電コイルで受信する搬送波は周波数の高い交流電圧であり、交流電圧は公知の通り電圧極性が一定の周期で逆転する交番電圧である。従って、発光ダイオードの両端には、常に一定周期毎に逆電圧が印加されるため、受電コイルの巻き数を調整して逆耐圧を超えない電圧以下に調整するか、或いは、逆電圧が発生してもその電圧が逆耐圧の規格値を越えないように回路的に処理する２つの方法がある。本発明では、後者の回路的に処理する方法として、発光ダイオードに直列に逆電圧に耐える特性をもったダイオードを接続して、逆耐圧を越えないようにして保護する方法について説明する。
【００１３】
先ず、図５（ａ）を参照すると、例えば、受電コイル（ｒ）４の両端に図のように逆電圧ＶＲが発生したとする。ＬＥＤ５にはダイオード（Ｄ）７が同一極性で直列に接続されているので、受電コイル（ｒ）４の両端にはＬＥＤ５とダイオード（Ｄ）７の逆耐圧電圧の合計のダイオードが接続されたのと等価となる。一般にシリコンダイオードの場合、逆耐圧電圧は６０〜７０Ｖと比較的高い。従って、例えば、逆電圧ＶＲが１０Ｖ発生したとすると、ダイオード（Ｄ）７とＬＥＤ５の合計の逆耐圧電圧は７０Ｖ以上であるので、ＬＥＤ５が逆耐圧電圧により破壊することを防ぐことができる。これに対して、（ｂ）はＬＥＤ５と並列にダイオード（Ｄ）８を極性を逆にして接続し場合で、同じように受電コイル４の両端に図のように逆電圧ＶＲが発生したとする。ダイオード８はそのとき順電圧であるので順方向電流が流れ、ダイオード両端は一定の電圧（約１．７Ｖ）にクランプされる。従って、ＬＥＤ５の逆耐圧を越えることはなくなる。
図５（ｃ）は図３の各ＬＥＤと抵抗器に更に直列にダイオードａ３２、ｂ３３、ｃ３４を接続して、各ＬＥＤａ２９、ｂ３０、ｃ３１の逆耐圧電圧を見掛け上高める構成である。例えば、受電コイル２５の両端に図のように逆電圧ＶＲが発生したとする。ＬＥＤａ２９、ｂ３０、ｃ３１には夫々ダイオードａ３２、ｂ３３、ｃ３４が同一極性で直列に接続されているので、受電コイル２５の両端には逆耐圧電圧が高いダイオードが接続されたのと等価となり、ＬＥＤａ２９、ｂ３０、ｃ３１を逆電圧ＶＲの破壊から保護することができる。
また、図５（ｄ）はＬＥＤａ２９、ｂ３０、ｃ３１と並列にダイオード３５を極性を逆にして接続し場合で、同じように受電コイル２５の両端に図のように逆電圧ＶＲが発生したとする。ダイオード２５はそのとき順電圧であるので順方向電流が流れ、ダイオード両端は一定の電圧（約１．７Ｖ）にクランプされる。従って、各ＬＥＤａ２９、ｂ３０、ｃ３１の両端は逆耐圧を越えることはなくなる。
【００１４】
【発明の効果】
以上記載のごとく請求項１の発明によれば、受電コイルにより送信アンテナからの搬送波を直接受信してその電力により発光ダイオードを点灯させるので、送信アンテナの動作状態を正確に確認でき、しかも、駆動のための電源を必要としないため回路コストを安価に構成することができる。
また請求項２では、受電コイルの両端に直接発光ダイオードを接続するので、負荷容量が小さいので高周波の交流電圧でも充分点灯することが可能となる。
また請求項３では、発光ダイオードと極性を同じにして直列にダイオードを接続するので、逆電圧が分圧されて発光ダイオードの両端に掛かる電圧が逆耐圧を越えることを防止して、発光ダイオードの信頼性を高めることができる。
また請求項４では、発光ダイオードと極性を逆にして並列にダイオードを接続するので、ダイオードの順電圧にクランプされて、発光ダイオードの両端に掛かる電圧が逆耐圧を越えることを防止して、発光ダイオードの信頼性を高めることができる。
【００１５】
また請求項５では、スレッシュレベルが異なるように構成された発光ダイオードを複数用意することにより、駆動電力に応じて発光ダイオードが点灯する数が変化して送信アンテナの共振周波数調整を容易に行うことができる。
また請求項６では、夫々に異なる抵抗値を持った抵抗器を直列接続した発光ダイオードを複数用意するので、簡単な回路構成でコストを安く、パワーの大きさにより順次点灯する回路を構成することができる。
また請求項７では、複数の発光ダイオードの順電圧特性を同じにすることにより、予め抵抗値を決定することができるので、個々に調整を必要とせず、生産性を高めることができる。
また請求項８では、請求項３と同様な作用効果を奏する。
また請求項９では、請求項４と同様な作用効果を奏する。
また請求項１０では、受電コイルを送信アンテナの外側に配置するので、受信アンテナへの影響を最小限にすることができる。
【図面の簡単な説明】
【図１】本発明の第１の実施形態に係る送信アンテナインジケータの外観構成図であり、一部を透視した図。
【図２】本発明の図１の送信アンテナインジケータと送受信機の回路構成を示すブロック図。
【図３】本発明の第２の実施形態に係るＬＥＤ部分の変形実施例を示す図。
【図４】本発明の図１、図２の送信アンテナインジケータ１０の動作を説明するためのタイミングチャート。
【図５】本発明の第３の実施形態に係るＬＥＤの逆電圧抑制する回路例を示す図。
【図６】従来の送信装置のインジケート方法について説明するためのブロック図。
【符号の説明】
１　ケーブル、２　送信アンテナ、３　受信アンテナ、４　受電コイル、５　ＬＥＤ、６　コネクタ、７　送受信機、８　外装カバー、１０　送信アンテナインジケータ
【図１】
2004023289.tif 000003
【図２】
2004023289.tif 000004
【図３】
2004023289.tif 000005
【図４】
2004023289.tif 000006
【図５】
2004023289.tif 000007
【図６】
2004023289.tif 000008